(57)【要約】【課題】安易に持ち運びができ手で把持することができることにより、任意の場所でトランペットの運指の練習をすることができるトランペット運指練習器具を提供する。【解決手段】ピストン部１０は、一方の手の人差し指で押圧されるように形成された第１の押圧部と第１のバネ部１１ｂを有する第１のピストン１１と、一方の手の中指で押圧されるように形成された第２の押圧部と第２のバネ部１２ｂを有する第２のピストン１２と、一方の手の薬指で押圧されるように形成され第３の押圧部と第３のバネ部１３ｂを有する第３のピストン１３を有する。本体部２０は、各バネ部を収納または固定し、一方の手と対応する他方の手で把持できるように構成されている。【選択図】図１
0003204247.tif 000002
【実用新案登録請求の範囲】
【請求項１】
一方の手の人差し指で押圧されるように形成された第１の押圧部と前記第１の押圧部と連動する弾性体を設けた第１の弾性体部とを有する第１のピストンと、一方の手の中指で押圧されるように形成された第２の押圧部と前記第２の押圧部と連動する弾性体を設けた第２の弾性体部とを有する第２のピストンと、一方の手の薬指で押圧されるように形成された第３の押圧部と前記第３の押圧部と連動する弾性体を設けた第３の弾性体部とを有する第３のピストンと、を有するピストン部と、
前記一方の手と対応する他方の手で把持されるように形成され、前記ピストン部の各弾性体部を収納または固定するように構成されている本体部と、を有することを特徴とするトランペット運指練習器具。
【請求項２】
前記弾性体はバネであり、前記弾性体部はバネ部であることを特徴とする請求項１に記載のトランペット運指練習器具。
【請求項３】
前記ピストン部の各バネ部の底部には、バネ強度調整部が設けられており、前記バネ強度調整部を調整することで、前記各バネによる前記押圧を調整することを特徴とする請求項２に記載のトランペット運指練習器具。
【請求項４】
前記ピストン部の各バネ部の上部には、バネ強度調整部が設けられており、前記バネ強度調整部を調整することで、前記各バネによる前記押圧を調整することを特徴とする請求項２に記載のトランペット運指練習器具。
【請求項５】
前記本体部は、縦が６０から１０２ミリメートル、横が６５から８１ミリメートル、及び幅が１８から２６ミリメートルの範囲で形成されていることを特徴とする請求項１から請求項４のいずれか１項に記載のトランペット運指練習器具。
【請求項６】
前記本体部に、疑似マウスパイプが設けられていることを特徴とする請求項１から請求項５のいずれかに記載のトランペット運指練習器具。
【請求項７】
前記疑似マウスパイプは、パイプ中央部、パイプ前方部、及びパイプ後方部からなり、前記パイプ中央部は前記本体部に固定されるように形成され、前記パイプ前方部及び前記パイプ後方部は、前記パンプ中央部との間で着脱可能に形成されていることを特徴とする請求項６に記載のトランペット運指練習器具。
【請求項８】
前記本体部の前記疑似パイプが設けられている面と対向する前記本体部の面を覆うように、且つ、着脱可能なように設けられフタ部を有することを特徴とする請求項７に記載のトランペット運指練習器具。
【考案の詳細な説明】
【技術分野】
【０００１】
本考案は、トランペット運指練習器具に関する。
【背景技術】
【０００２】
トランペットの運指の種類は、例えば２８通りのパターンがあり、これらのパターンを習熟するためには、トランペットそのもの、又はマウスピース、ピストン、楽音発生部などを備えたトランペット型の電子楽器などを用いて練習をするのが一般的であった。
【考案の概要】
【考案が解決しようとする課題】
【０００３】
上記のとおりトランペットの運指を習熟するためには、トランペッットそのもの、トランペット型の電子楽器などを使用するが、これらは筐体が大きく持ち運ぶのが困難であり、また、トランペット型の電子楽器は安価に購入できるものではないという問題があった。
【０００４】
このような問題を解決するために、練習するときに手で把持することができ、例えば、携帯端末と同じような大きさで簡易に持ち運びできることで、どこでも練習が可能な低価格のトランペット運指練習器具が必要とされている。
【０００５】
そこで本考案は、このような課題を解決するためになされたもので、安易に持ち運びができ手で把持することができることにより、任意の場所でトランペットの運指を練習することができるトランペット運指練習器具を提供することを目的とする。
【課題を解決するための手段】
【０００６】
上記課題を解決するために、本考案に係るトランペット運指練習器具は、一方の手の人差し指で押圧されるように形成された第１の押圧部と前記第１の押圧部と連動する弾性体を設けた第１の弾性体部とを有する第１のピストンと、一方の手の中指で押圧されるように形成された第２の押圧部と前記第２の押圧部と連動する弾性体を設けた第２の弾性体部とを有する第２のピストンと、一方の手の薬指で押圧されるように形成された第３の押圧部と前記第３の押圧部と連動する弾性体を設けた第３の弾性体部とを有する第３のピストンと、を有するピストン部と、前記一方の手と対応する他方の手で把持されるように形成され、前記ピストン部の各弾性体部を収納または固定するように構成されている本体部と、を有することを特徴とする。
【０００７】
本考案に係るトランペット運指練習器具について、前記弾性体はバネであり、前記弾性体部はバネ部であることが好ましい。
【０００８】
本考案に係るトランペット運指練習器具の態様について、前記ピストン部の各バネ部の底部には、バネ強度調整部が設けられており、前記バネ強度調整部を調整することで、前記各バネによる前記押圧を調整することが好ましく、また、前記ピストン部の各バネ部の上部には、バネ強度調整部が設けられており、前記バネ強度調整部を調整することで、前記各バネによる前記押圧を調整することが好ましい。
【０００９】
本考案に係るトランペット運指練習器具について、前記本体部は、縦が６０から１０２ミリメートル、横が６５から８１ミリメートル、及び幅が１８から２６ミリメートルの範囲で形成されていることが好ましい。
【００１０】
本考案に係るトランペット運指練習器具について、前記本体部に、疑似マウスパイプが設けられており、前記疑似マウスパイプは、パイプ中央部、パイプ前方部、及びパイプ後方部からなり、前記パイプ中央部は前記本体部に固定されるように形成され、前記パイプ前方部及び前記パイプ後方部は、前記パンプ中央部との間で着脱可能に形成されており、また、前記本体部の前記疑似パイプが設けられている面と対向する前記本体部の面を覆うように、且つ、着脱可能なように設けられフタ部を有することが好ましい。
【考案の効果】
【００１１】
本考案のトランペット運指練習器具によれば、安易に持ち運びができ手で把持することができることにより、任意の場所でトランペットの運指の練習をすることができる。
【図面の簡単な説明】
【００１２】
【図１】実施形態のトランペット運指練習器具を正面から見た模式図である。
【図２】実施形態のトランペット運指練習器具を側面から見た模式図である。
【図３】実施形態のトランペット運指練習器具を底面から見た模式図である。
【図４】実施形態の一例を示す模式図である。
【図５】実施形態の他の一例を示す模式図である。
【考案を実施するための形態】
【００１３】
以下、本考案のトランペット運指練習器具の実施形態を図１から図５を用いて説明する。
【００１４】
図１から図５に示すように、トランペット運指練習器具１は、ピストン部１０と本体部２０を有している。
【００１５】
まず、ピストン部１０について説明する。
【００１６】
ピストン部１０は、第１のピストン１１、第２のピストン１２、及び第３のピストン１３とから構成されている。
【００１７】
第１のピストン１１は、上部の押圧部１１ａと、内部のバネと押圧部１１ａが連動するように設けられている第１のバネ部１１ｂとを有し、第２のピストン１２は、上部の押圧部１２ａと、内部のバネと押圧部１２ａが連動するように設けられた第２のバネ部１２ｂとを有し、及び第３のピストン１３は、上部の押圧部１３ａと、内部のバネが押圧部１３ａと連動するように設けられた第３のバネ部１３ｂとを有しており、これらのバネの弾性力により各指での押圧が可能となり、トランペットの運指を学習することができる構造となっている。
【００１８】
なお、上記の各バネはコイル状のバネであって弾性体の一例であるが、弾性体はこのバネに限定されず、例えば弾性体としてゴムなどを用いてもよい、また、ピストン部１０は３個のピストンから構成されているが、これに限定されず、例えば４個のピストンで構成されてもよい。
【００１９】
また、第１のピストン１１は、一方の手の人差し指で第１の押圧部１１ａが押圧されるように形成され、第２のピストン１２は、一方の手の中指で第２の押圧部１２ａが押圧されるように形成され、また、第３のピストンは、一方の手の薬指で第３の押圧部１３ａが押圧されるように形成されている。
【００２０】
さらに、ピストン部１０の各バネの底部または上部には、例えば、図３及び図４に示すようにバネ強度調整部１１ｃ，１２ｃ，１３ｃが設けられており、これらのバネ強度調整部１１ｃ，１２ｃ，１３ｃを調整することで、各指の運指に応じた押圧でトランペットの学習することができる構造となっている。なお、このバネ調整部は底部に限定されず、例えば図４に示すように、この底部と対向している上部に設けてもよいが、これに限定されない。
【００２１】
すなわち、第１のピストン１１は、例えば、底部または上部に設けられた第１のバネ強度調整部１１ｃを有することで、第１のバネの強度を調整することができ、例えば、第１のバネ強度調整部１１ｃを回転することで第１のバネ部１１ｂの長さが調整されて強度が調整される。
【００２２】
同様に、第２のピストン１２及び第３のピストン１３においても、第２のバネ強度調整部１２ｃ及び第３のバネ強度調整部１３ｃを設けることができ、例えば、これら第２のバネ部１２ｂ及び第３のバネ部１３ｂ長さが調整されて強度を調整することができる。
【００２３】
次に、本体部２０について説明する。
【００２４】
本体部２０は、ピストン部１０を収納または固定するように構成され、上記の一方の手と対応する他方の手で把持できるように形成されている。
【００２５】
なお、一方の手が右手の場合は他方の手は左手であり、また、一方の手が左手の場合は他方の手は右手である。
【００２６】
本体部２０は、図に示すように、例えば、本体上面部２０ａ、本体底部２０ｂ、本体前側端部２０ｃ、本体後側端部２０ｄ、本体右側面部２０ｅ、及び本体左側面部２０ｆを有している。
【００２７】
ピストン部１０のバネを有する部分は、例えば、本体部１０に収納されており、各ピストンが押圧される部分、すなわち、第１から第３の押圧部１１ａ，１２ａ，１３ａは、一方の手の各指で押し下げることができるように、本体上面部２０ａから突出している構成となっている。
【００２８】
本体部２０は、他方の手で把持される構成であるが、具体的な一例として、この他方の手の平が本体右側面部２０ｅ、又は本体左側面部２０ｆに当接し、例えば親指が本体前側端部２０ｃを把持し、他の指が本体後側端部２０ｄを把持することで、本体部２０を保持し、一方の手の人差し指、中指、及び薬指でトランペットのピストンの練習をすることができる。
【００２９】
本体部２０は、本体右側面部２０ｅ、又は本体左側面部２０ｆに疑似マウスパイプ３０を有する構成であってもよく、このような構成にすることで、実際のトランペットを用いた感覚でトランペットピストンの練習をすることができる。
【００３０】
なお、本体部２０は、縦が６０から１０２ミリメートル、横が６５から８１ミリメートル、及び幅が１８から２６ミリメートルの範囲で形成されていることが望ましいが、これに限定されない。
【００３１】
また、図５に示すように。本体部２０には、疑似マウスパイプ３０を設けてもよく、この疑似マウスパイプ３０は、パイプ中央部３０ａ、パイプ前方部３０ｂ、及びパイプ後方部３０ｃから形成されるようにしてもよい。なお、パイプ前方部３０ｂには、一方の手の小指を支えるように形成さえている突起が設けられており、一方の手の小指と親指で、例えば、本体部１０を把持できる構造とすることができる。
【００３２】
このような疑似マウスパイプ３０は、簡易な持ち運びが可能となるように、パイプ中央部３０ａが接着され固定されるように形成され、パイプ前方部３０ｂ及びパイプ後方部３０ｃがパイプ中央部３０ａとの間で着脱可能に形成されてもよい。このように疑似マウスパイプを設けることで、実際のトランペットと同じ感覚で運指の練習をすることができる。
【００３３】
また、本体部２０の疑似マウスパイプが設けられている面と対向する本体部２０の面を覆うように、且つ、本体部１０と着脱可能なフタ部２１を設けてもよい。このようなフタ部２１を設けることで、トランペット運指練習器具１に対する把持をより効果的なものにすることができる。
【００３４】
上記のような特徴を有する本考案のトランペット運指練習器具は、手の平に入る簡易な構造であり、いかなる場所においても使用することができ、トランペットの演奏の技量の向上を図ることができるものである。
【００３５】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３６】
また、トランペット運指練習器具の大きさや形状、素材の厚さ、重さなどについては多様な実施形態が可能であり、それらについて本実施形態と異なる形態による実施は、本考案の技術的範囲に含まれる。
【符号の説明】
【００３７】
１      トランペット運指練習器具
１０    ピストン部
１１    第１のピストン
１２    第２のピストン
１３    第３のピストン
１１ａ  第１の押圧部
１２ａ  第２の押圧部
１３ａ  第３の押圧部
１１ｂ  第１のバネ部
１２ｂ  第２のバネ部
１３ｂ  第３のバネ部
１１ｃ  第１のバネ強度調整部
１２ｃ  第２のバネ強度調整部
１３ｃ  第３のバネ強度調整部
２０    本体部
２０ａ  本体上面部
２０ｂ  本体底部
２０ｃ  本体前側端部
２０ｄ  本体後側端部
２０ｅ  本体右側面部
２６ｆ  本体左側面部
２１    本体部オプション
３０    疑似マウスパイプ
３０ａ  パイプ中央部
３０ｂ  パイプ後方部
３０ｃ  パイプ前方部
【図１】
0003204247.tif 000003
【図２】
0003204247.tif 000004
【図３】
0003204247.tif 000005
【図４】
0003204247.tif 000006
【図５】
0003204247.tif 000007